(57)【要約】      （修正有）【課題】ＡＶ機器の使用の便宜性を向上させうるコンテンツを選択して再生／記録する方法及びその装置を提供する。【解決手段】特定コンテンツを選択して再生／記録する方法において、外部から所定の数字コードを受信し、受信された数字コードを解釈してあらかじめ定義された再生/記録機器の識別子及び／または該当機器の再生/記録コンテンツの識別子を得る再生／記録方法。また、機器の識別子を利用して前記再生／記録機器に転換し、コンテンツの識別子を利用して再生／記録するコンテンツを選択し、それを再生／記録するか、または機器の識別子を含む機器転換命令を受信し、コンテンツの識別子を含むコンテンツの再生／記録命令を受信する再生／記録方法。これにより、メニュー及びリモコンキーを使用した複雑なコンテンツの選択方法以外に、さらに学びやすくて簡単なコンテンツの選択方法を提供する。【選択図】      図３
2006211684.tif 000002
【特許請求の範囲】
【請求項１】
特定のコンテンツを選択して再生／記録する方法において、
（ａ）外部から所定の数字コードを受信するステップと、
（ｂ）受信された数字コードを解釈して、あらかじめ定義された再生/記録する機器の識別子及び／または該当する機器の再生/記録するコンテンツの識別子を得るステップとを含むことを特徴とする再生／記録方法。
【請求項２】
（ｃ１）前記機器の識別子を利用して前記再生／記録する機器に転換するステップと、
（ｄ１）前記コンテンツの識別子を利用して前記再生／記録するコンテンツを選択し、それを再生／記録するステップとをさらに含むことを特徴とする請求項１に記載の再生／記録方法。
【請求項３】
（ｃ２）前記機器の識別子を含む機器転換命令を受信するステップと、
（ｄ２）前記コンテンツの識別子を含むコンテンツの再生／記録命令を受信するステップとをさらに含むことを特徴とする請求項１に記載の再生／記録方法。
【請求項４】
前記数字コードは、前記再生／記録する機器及び前記再生／記録するコンテンツにそれぞれ固有番号を付与して生成されたことを特徴とする請求項１に記載の再生／記録方法。
【請求項５】
前記数字コードは、桁数によって機器転換及びコンテンツの選択を含むか、または機器転換なしに現在活性化された機器に対するコンテンツの選択のみを含むかが決定されることを特徴とする請求項１に記載の再生／記録方法。
【請求項６】
前記数字コードのうちコンテンツを記述する部分は、同じ数字でも、選択された機器によって異なる意味を有することを特徴とする請求項１に記載の再生／記録方法。
【請求項７】
前記数字コードのうちコンテンツを記述する部分は、同じ数字でも前記選択された機器によってチャンネル番号、チャプター番号、トラック番号または録画番号を表すことを特徴とする請求項６に記載の再生／記録方法。
【請求項８】
特定のコンテンツを選択して再生／記録する装置において、
外部から受信された所定の数字コードを解釈して、再生／記録する機器の識別子及び／または該当する機器の再生／記録するコンテンツの識別子を抽出し、前記機器の識別子を利用して前記再生／記録する機器に転換し、前記コンテンツの識別子を利用して前記再生／記録するコンテンツを選択する数字処理部と、
前記転換された機器で前記選択されたコンテンツを再生する再生部とを備えることを特徴とする再生／記録装置。
【請求項９】
前記機器の識別子を含む機器転換命令を受信し、前記コンテンツの識別子を含むコンテンツの再生／記録命令を受信するネットワークインターフェースをさらに備えることを特徴とする請求項８に記載の再生／記録装置。
【請求項１０】
前記数字コードは、前記再生／記録する機器及び前記再生／記録するコンテンツにそれぞれ固有番号を付与して生成されたことを特徴とする請求項８に記載の再生／記録装置。
【請求項１１】
前記数字コードは、桁数によって機器転換及びコンテンツの選択を含むか、または機器転換なしに現在活性化された機器に対するコンテンツの選択のみを含むかが決定されることを特徴とする請求項８に記載の再生／記録装置。
【請求項１２】
前記数字コードのうちコンテンツを記述する部分は、同じ数字でも、選択された機器によって異なる意味を有することを特徴とする請求項８に記載の再生／記録装置。
【請求項１３】
前記数字コードのうちコンテンツを記述する部分は、同じ数字でも前記選択された機器によってチャンネル番号、チャプター番号、トラック番号または録画番号を表すことを特徴とする請求項１２に記載の再生／記録装置。
【請求項１４】
外部から受信された所定の数字コードを解釈して、再生／記録する機器の識別子及び／または該当する機器の再生／記録するコンテンツの識別子を抽出し、前記機器の識別子を利用して前記再生／記録する機器に転換し、前記コンテンツの識別子を利用して前記再生／記録するコンテンツを選択する数字処理部と、
前記機器の識別子を含む機器転換命令を伝送し、前記コンテンツの識別子を含むコンテンツの再生／記録命令を伝送するネットワークインターフェースと、をさらに備えることを特徴とするホームネットワークサーバ。
【請求項１５】
前記数字コードは、前記再生／記録する機器及び前記再生／記録するコンテンツにそれぞれ固有番号を付与して生成されたことを特徴とする請求項１４に記載のホームネットワークサーバ。
【請求項１６】
前記数字コードは、桁数によって機器転換及びコンテンツの選択を含むか、または機器転換なしに現在活性化された機器に対するコンテンツの選択のみを含むかが決定されることを特徴とする請求項１４に記載のホームネットワークサーバ。
【請求項１７】
前記数字コードのうちコンテンツを記述する部分は、同じ数字でも、選択された機器によって異なる意味を有することを特徴とする請求項１４に記載のホームネットワークサーバ。
【請求項１８】
前記数字コードのうちコンテンツを記述する部分は、同じ数字でも前記選択された機器によってチャンネル番号、チャプター番号、トラック番号または録画番号を表すことを特徴とする請求項１７に記載のホームネットワークサーバ。
【請求項１９】
ユーザから、所定のコンテンツを再生／記録する機器の識別子及び／または該当する機器の再生／記録するコンテンツの識別子を含む数字コードを入力される入力受信部と、
前記入力された数字コードを所定の再生／記録装置またはホームネットワークサーバに伝送する送信部と、を備えることを特徴とするユーザインターフェース。
【請求項２０】
前記数字コードは、前記再生／記録する機器及び前記再生／記録するコンテンツにそれぞれ固有番号を付与して生成されることを特徴とする請求項１９に記載のユーザインターフェース。
【請求項２１】
前記数字コードは、桁数によって機器転換及びコンテンツの選択を含むか、または機器転換なしに現在活性化された機器に対するコンテンツの選択のみを含むかが決定されることを特徴とする請求項１９に記載のユーザインターフェース。
【請求項２２】
前記数字コードのうちコンテンツを記述する部分は、同じ数字でも、選択された機器によって異なる意味を有することを特徴とする請求項１９に記載のユーザインターフェース。
【請求項２３】
前記数字コードのうちコンテンツを記述する部分は、同じ数字でも、前記選択された機器によってチャンネル番号、チャプター番号、トラック番号または録画番号を表すことを特徴とする請求項１９に記載のユーザインターフェース。
【発明の詳細な説明】
【技術分野】
【０００１】
本発明は、マルチメディアコンテンツの再生／記録に係り、さらに具体的には、さらに速く、かつ簡単に再生／記録するマルチメディア機器及びコンテンツを選択し、それを再生／記録する方法及びその装置に関する。
【背景技術】
【０００２】
マルチメディア機器は、マルチメディアコンテンツとして動画データを再生/記録する空中波ＴＶ、衛星セットトップボックス（ＳＴＢ）、ＤＴＶ  ＳＴＢ、ＤＶＤプレイヤ、ＡＶ−ＨＤＤ（Ａｕｄｉｏ−Ｖｉｓｕａｌ  Ｈａｒｄ  Ｄｉｓｋ  Ｄｒｉｖｅｒ）、ＣＤプレイヤ、ＦＭレシーバ、個人録画機（ＰＶＲ）などを総称する。以下では、動画を再生／記録する装置という意味でＡＶ機器と略称する。
【０００３】
一般的に、ＡＶ機器でマルチメディアコンテンツを再生/記録する過程は、再生／記録するＡＶ機器の選択と、選択されたＡＶ機器でのチャンネルまたはコンテンツを選択することにより行われる。図１は、従来のコンテンツを選択して再生／記録する過程を示す図である。図１に示すように、コンテンツを選択する過程は、１）ホームネットワークに連結された複数のＡＶ機器のうち、コンテンツを再生するＡＶ機器を選択するステップと、２）選択されたＡＶ機器で視聴を所望するチャンネル、動画、ＤＶＤチャプター、ＣＤトラックなどを選択するステップとに分けられる。
【０００４】
また、ホームネットワークに連結されていない一般再生／記録装置の場合にも、コンテンツを選択する過程は、１）ＴＶ入力選択を通じて使用しようとするＡＶ機器が連結された外部入力番号を選択するステップと、２）選択されたＡＶ機器で視聴を所望するチャンネル、動画、ＤＶＤチャプター、ＣＤトラックなどを選択するステップとに分けられる。
【０００５】
さらに具体的に、図２Ａ及び図２Ｂは、従来のコンテンツ選択過程の一例を示す図である。図２Ａ及び図２Ｂに示すように、ＡＶ機器を選択し、選択された機種によって適切なチャンネル、動画、ＤＶＤチャプター、ＣＤトラックなどのコンテンツを選択するためのメニュー画面の一例が示されている。このとき、再生される動画の画面上にメニューがディスプレイされるＯＳＤ（Ｏｎ  Ｓｃｒｅｅｎ  Ｄｉｓｐｌａｙ）方式のメニューが主に使用される。このように、従来のマルチメディアコンテンツを視聴するために、ユーザは、メニューを数回探索し、複数のリモコンキーを使用せねばならない。
【０００６】
しかし、ＯＳＤメニューによる操作や、リモコンキーの操作に慣れていない中高齢層は、複雑なメニューの使用法を学び難く、一度学んでも直ぐ忘れてしまうという問題点がある。特に、特定のコンテンツやいくつかの機能のみを主に利用するユーザに複雑なメニューの使用法を学ばせることは非常に面倒なことである。
【０００７】
一方、ＯＳＤメニューの画面に慣れているユーザは、さらに速くコンテンツを選択しようとする要求がある。しかし、熟練されたユーザにも、同じ方式のＯＳＤメニューの画面や複雑なリモコンキーを使用させることは非常に非効率的である。
【特許文献１】韓国特許公開第２０００−００２７６９９号公報
【特許文献２】日本特許公開第２０００−３４１７７５号公報
【発明の開示】
【発明が解決しようとする課題】
【０００８】
前記問題点を解決するための本発明の目的は、さらに速く、かつ簡単に再生／記録するマルチメディア機器及びコンテンツを選択して、それを再生／記録する方法及びその装置を提供することである。
【０００９】
すなわち、本発明の目的は、メニュー及びリモコンキーを使用したコンテンツの選択方法以外に、さらに学びやすくて簡単なコンテンツの選択方法を提供して、ＡＶ機器の使用の便宜性を向上させることである。
【課題を解決するための手段】
【００１０】
本発明によって、前記課題は、特定のコンテンツを選択して再生／記録する方法において、（ａ）外部から所定の数字コードを受信するステップと、（ｂ）受信された数字コードを解釈して、あらかじめ定義された再生/記録する機器の識別子及び／または該当する機器の再生/記録するコンテンツの識別子を得るステップとを含むことを特徴とする再生／記録方法により達成される。
【００１１】
また、（ｃ１）機器の識別子を利用して再生／記録する機器に転換するステップと、（ｄ１）コンテンツの識別子を利用して再生／記録するコンテンツを選択し、それを再生／記録するステップと、をさらに含むか、または、（ｃ２）機器の識別子を含む機器転換命令を受信するステップと、（ｄ２）コンテンツの識別子を含むコンテンツの再生／記録命令を受信するステップとをさらに含むことが望ましい。
【００１２】
前記数字コードは、再生／記録する機器及び再生／記録するコンテンツにそれぞれ固有番号を付与して生成されたことが望ましく、前記数字コードは、桁数によって機器転換及びコンテンツの選択を含むか、または機器転換なしに現在活性化された機器に対するコンテンツの選択のみを含むかが決定されることが決定されることが望ましい。
【００１３】
また、前記数字コードのうちコンテンツを記述する部分は、同じ数字でも、選択された機器によって異なる意味を有し、選択された機器によってチャンネル番号、チャプター番号、トラック番号または録画番号を示すことが、特に望ましい。
【００１４】
一方、本発明の他の分野によれば、前記課題は、特定のコンテンツを選択して再生／記録する装置において、外部から受信された所定の数字コードを解釈して、再生／記録する機器の識別子及び／または該当する機器の再生／記録するコンテンツの識別子を抽出し、機器の識別子を利用して再生／記録する機器に転換し、コンテンツの識別子を利用して再生／記録するコンテンツを選択する数字処理部と、転換された機器で選択されたコンテンツを再生する再生部とを備えることを特徴とする再生／記録装置によって達成される。
【００１５】
また、前記機器の識別子を含む機器転換命令を受信し、コンテンツの識別子を含むコンテンツの再生／記録命令を受信するネットワークインターフェースをさらに備えることが望ましい。
【００１６】
一方、本発明の他の分野によれば、前記課題は、外部から受信された所定の数字コードを解釈して、再生／記録する機器の識別子及び／または該当する機器の再生／記録するコンテンツの識別子を抽出し、機器の識別子を利用して再生／記録する機器に転換し、コンテンツの識別子を利用して再生／記録するコンテンツを選択する数字処理部と、機器の識別子を含む機器転換命令を伝送し、コンテンツの識別子を含むコンテンツの再生／記録命令を伝送するネットワークインターフェースと、をさらに備えることを特徴とするホームネットワークサーバによっても達成される。
【００１７】
さらに一方で、本発明の他の分野によれば、前記課題は、ユーザから、所定のコンテンツを再生／記録する機器の識別子及び／または該当する機器の再生／記録するコンテンツの識別子を含む数字コードを入力される入力受信部と、入力された数字コードを所定の再生／記録装置またはホームネットワークサーバに伝送する送信部と、を備えることを特徴とするユーザインターフェースによって達成される。
【発明の効果】
【００１８】
本発明によれば、さらに速くて簡単に再生／記録するマルチメディア機器及びコンテンツを選択し、それを再生／記録する方法及びその装置を提供できる。
【００１９】
これにより、ＯＳＤメニューによる操作やリモコンキーの操作に慣れていない中高齢層は、複雑なメニューの使用法を学ばずとも、簡単な数字キーの操作のみで所望のコンテンツを選択して再生／記録できる。また、ＯＳＤメニューの画面に慣れているユーザは、さらに速くコンテンツを選択できるので、ユーザの便宜性が向上する。
【発明を実施するための最良の形態】
【００２０】
以下、添付した図面を参照して本発明の望ましい実施形態を詳細に説明する。
【００２１】
図３は、本発明に係る機器転換及びコンテンツの選択のための数字コード構成の一実施形態を示す図である。図３に示すように、本発明に係る数字コードは、機器転換及びコンテンツの選択を同時に行わせるために、再生／記録するＡＶ機器に対する識別子１０２と、当該ＡＶ機器で再生／記録するコンテンツに対する識別子１０４とを含む。
【００２２】
連結された全てのＡＶ機器と、当該ＡＶ機器から提供するコンテンツとには、固有の数字コードが付与される。図３は、最大４桁の数字コードを使用する例を示す図である。すなわち、前部の１桁の数字は、ＡＶ機器番号を表し、後部の３桁の数字は、コンテンツ番号を表す。もし、４桁数字のコードを受信した場合には、ＡＶ機器変換とコンテンツの選択とが同時に行われ、もし、３桁以下の数字コードを受信した場合には、ＡＶ機器の転換なしに、現在活性化されたＡＶ機器から受信されたコンテンツを選択する。
【００２３】
ユーザは、後述するマッピングテーブルを参照して、リモコンのようなユーザインターフェースを利用して一連の数字を入力することによって、再生／記録を所望するＡＶ機器とコンテンツとを選択できる。これにより、一連の数字入力のみで再生／記録するＡＶ機器への転換と、再生／記録を所望するコンテンツの選択とを同時に行える。
【００２４】
さらに具体的に、ＡＶ機器番号１０２は、コンテンツを再生／記録するＡＶ機器に付与された固有識別番号である。ＡＶ機器の固有番号は、１）ユーザが直接任意に指定してもよく、２）空中波ＴＶは１番、ケーブルＳＴＢは２番、衛星ＳＴＢは３番、ＤＶＤプレイヤは４番のように、特定の機種に特定の番号を指定でき、３）外部入力１は１番、外部入力２は２番のように、各ＡＶ機器が連結される端子の番号によって指定されてもよい。
【００２５】
一方、コンテンツ番号１０４は、選択されたＡＶ機器でのコンテンツの固有番号を表す。同じコンテンツ番号でも、ＡＶ機器の番号によって異なる意味を有する。例えば、コンテンツ番号２番が空中波ＴＶ、ケーブルＳＴＢまたは衛星ＳＴＢの場合、チャンネル番号を意味するが、ＤＶＤやＣＤのような再生機器の場合、チャプター番号またはトラック番号を意味できる。また、ＰＶＲやＡＶ−ＨＤＤの場合、録画時間の順序を表しても良い。すなわち、コンテンツ番号１０４の意味は、選択されたＡＶ機器によって変わる。
【００２６】
本発明で使用されるユーザインターフェースは、リモコン、フロントパネルなどの数字入力装置が使用されうる。このようなユーザインターフェースは、０ないし９の数字キーを備える。
【００２７】
さらに具体的に、図４Ａ及び図４Ｂは、図３に示す数字コードを利用した機器転換及びコンテンツ選択の一例を示す図である。
【００２８】
図４Ａに示すように、前記機器番号に対するマッピングテーブルの一例が示されている。図示された例では、空中波ＴＶは１番、ＤＴＶ  ＳＴＢは２番、衛星ＳＴＢは３番、ＤＶＤまたはＣＤプレイヤは４番、ＰＶＲは５番がＡＶ機器番号１０２として割当てられている。ＡＶ機器番号が選択されれば、右側のコンテンツ番号の意味のように、当該ＡＶ機種によってコンテンツ番号１０４がチャンネル番号、チャプター番号、トラック番号または録画番号のうち何れか一つとして解釈される。
【００２９】
図４Ｂに示すように、ユーザインターフェースを通じた数字キーの入力による機器転換及びコンテンツ選択の動作の例が示されている。まず、数字コード１１が入力された場合を説明する。前部の１桁は、ＡＶ機器番号を意味し、別途の入力がないので、ＡＶ機器の転換がない。また、後部の３桁は、コンテンツ番号１０４を意味し、ＡＶ機器の転換なしに、現在活性化された機器、例えば、空中波ＴＶでのコンテンツ番号であるので、１１番チャンネルを選択する。
【００３０】
次いで、数字コード３６５２が入力された場合を説明すれば、ＡＶ機器番号が３番であるので、図４Ａのマッピングテーブルを参照するに、空中波ＴＶから衛星ＳＴＢにＡＶ機器が転換され、コンテンツ番号が６５２であるので、６５２番チャンネルが選択される。
【００３１】
また、数字コード２０１は、機器転換なしに衛星ＳＴＢで２０１番チャンネルを選択するという意味である。また、数字コード４０００は、ＤＶＤプレイヤに機器転換され、コンテンツ番号が０である場合、再生メニューの画面がディスプレイされるという意味である。また、数字コード４００２は、ＤＶＤプレイヤの２番チャプターが選択されるという意味である。
【００３２】
前記のように、ユーザは、一連の数字コードを入力することによって、複雑なメニューやリモコンキーの操作なしに速くて簡単に機器を転換し、再生／記録するコンテンツを選択できる。すなわち、特定のいくつかの機能のみを主に使用する初級ユーザならば、自身が主に使用するいくつかの数字コードのみを、電話番号を覚えるように記憶し、それを簡単に入力することによって、所望のコンテンツを所望のＡＶ機器で再生／記録できる。また、高級ユーザの場合、多段階のメニュー及びリモコン操作の代わりに、ショートカットの機能のような簡単な数字コードを入力することによって、速くＡＶ機器を操作できる。
【００３３】
図５は、本発明に係る機器転換及びコンテンツの選択のための数字コード構成の他の実施形態を示す図である。図５に示すように、本発明に係る数字コードの他の実施形態を示す図であって、２桁の機器番号１１２と、区分子１１４及び３桁のコンテンツ番号１１６から構成された数字コードが示されている。すなわち、区分子の前部の２桁の数字は、ＡＶ機器番号を表し、区分子の後部の３桁の数字は、コンテンツ番号を表す。これにより、ＡＶ機器が１０個以上である場合も表現でき、区分子を使用することによって、桁数が６桁ではなくても解釈できる。
【００３４】
ユーザは、後述するマッピングテーブルを参照して、リモコンのようなユーザインターフェースを利用して一連の数字を入力することによって、再生／記録を所望するＡＶ機器及びコンテンツを選択できる。これにより、一連の数字の入力のみで再生／記録するＡＶ機器への転換と、再生／記録を所望するコンテンツの選択とを同時に行える。
【００３５】
図６Ａ及び図６Ｂは、図５に示す数字コードを利用した機器転換及びコンテンツの選択の一例を示す図である。図６Ａに示すように、前記機器番号に対するマッピングテーブルの他の例が示されている。図示された例では、ＡＶ機種はもとより、位置によっても固有番号を付与できる。すなわち、居間の空中波ＴＶは１番、居間のＤＴＶ  ＳＴＢは２番を指定し、寝室のＤＴＶ  ＳＴＢは７番、二階の居間のＤＶＤプレイヤは１１番のような、ＡＶ機器番号１１４が割当てられる。ＡＶ機器番号が選択されれば、右側のコンテンツ番号の意味のように、当該ＡＶ機種によってコンテンツ番号１０４が、チャンネル番号、チャプター番号、トラック番号または録画番号のうち何れか一つとして解釈される。
【００３６】
図６Ｂを参照するに、ユーザインターフェースを通じた数字キーの入力による機器転換及びコンテンツの選択動作の例が示されている。まず、数字コード１１が入力された場合を説明すれば、区分子なしに数字コード１１が入力されたので、ＡＶ機器転換なしに現在活性化された機器、例えば、空中波ＴＶでのコンテンツ番号である１１番チャンネルを選択する。次いで、数字コード３−６５２が入力された場合、区分子の前部３は、居間の衛星ＳＴＢを意味し、区分子の後部６５２は、衛星放送の６５２番チャンネルを意味する。また、数字コード２０１が入力されれば、区分子がないので、ＡＶ機器の転換なしに衛星放送の２０１番チャンネルが選択される。また、数字コード４−０が入力された場合には、居間のＤＶＤプレイヤに機器転換され、０番チャプターであるので、メニュー画面が再生される。次いで、数字コード１０−１が入力されれば、二階の居間のＣＤプレイヤに転換され、１番トラックが再生される。
【００３７】
一方、図３及び図５に示す数字コードは、本発明の一実施形態に過ぎず、多様な方法で変形して具現できる。
【００３８】
以上で説明した本発明に係る数字コードを利用してコンテンツを選択し、それを再生／記録する方法を整理すれば、次の通りである。図７は、本発明に係る数字コードを利用して選択したコンテンツを再生／記録する方法を示すフローチャートである。
【００３９】
図７に示すように、まず、ユーザから再生／記録するＡＶ機器及びコンテンツを意味する数字コードを入力されれば（ステップ２００）、入力された数字コードを図３ないし図６Ｂで説明した例のように解釈してＡＶ機器の識別子及びコンテンツの識別子を抽出する（ステップ２０２）。抽出されたＡＶ機器の識別子を利用して入力機器を転換し（ステップ２０４）、抽出されたコンテンツ識別子を利用して選択されたコンテンツを再生／記録する（ステップ２０６）。
【００４０】
一方、図８Ａないし図８Ｃは、本発明に係る数字コードを利用して選択したコンテンツを再生／記録する装置の多様な応用例である。
【００４１】
図８Ａは、一般的なＡＶ機器での数字コードを利用したコンテンツ選択の例を示す図である。リモコンのようなユーザインターフェース１を通じてユーザが所定の数字コードを入力すれば、ＡＶ機器３は、これを解釈して、入力された数字コードに含まれたＡＶ機器番号に外部入力番号を設定し、コンテンツ番号に該当するチャンネル、動画、チャプターまたはトラックを再生／記録する。前述したように、本発明で使用されるユーザインターフェースは、リモコン、フロントパネルなどの数字入力装置が使用可能であり、０から９までの数字キーを備える。
【００４２】
図８Ｂは、集中型ホームネットワークシステムでホームネットワークサーバ２が他のＡＶ機器３を制御する場合を示す図である。ユーザインターフェース１を通じてユーザが所定の数字コードを入力すれば、ホームネットワークサーバ２は、これを解釈して、入力された数字コードに含まれたＡＶ機器番号及びコンテンツ番号を抽出し、これを利用して当該ＡＶ機器に選択されたコンテンツを再生／記録する制御命令を伝送する。制御命令を受けたＡＶ機器３は、選択されたコンテンツを再生／記録する。
【００４３】
図８Ｃは、分散型ホームネットワークシステムでホームネットワークサーバ２なしに、各ＡＶ機器３にコントローラが内蔵されて、当該機器と異なるＡＶ機器を制御する場合を示す図である。ユーザインターフェース１を通じてユーザが所定の数字コードを入力すれば、これを受信したＡＶ機器３は、これを解釈して、入力された数字コードに含まれたＡＶ機器番号及びコンテンツ番号を抽出し、抽出されたＡＶ機器番号が自身の機器番号と一致すれば、選択されたコンテンツを再生／記録する。もし、抽出されたＡＶ機器番号が自身の機器番号と一致していない場合、抽出されたＡＶ機器番号に該当するＡＶ機器３に選択されたコンテンツを再生／記録する制御命令を伝送する。制御命令を受けたＡＶ機器３は、選択されたコンテンツを再生／記録する。
【００４４】
図９は、本発明に係る再生／記録装置またはホームネットワークサーバに含まれる数字コード処理部の構成図である。
【００４５】
図９に示すように、本発明に係る数字コード処理部は、受信部３２、解釈部３４及び処理部３６を備える。受信部３２は、ユーザインターフェース１から一連の数字コードを入力されて解釈部に伝達する。解釈部３４は、伝達された数字コードを前述した図３ないし図６Ｂのようなコード規則によって解釈して、ＡＶ機器番号及びコンテンツ番号を抽出する。処理部３６は、抽出されたＡＶ機器番号を有するＡＶ機器に転換し、再生／記録するコンテンツとして抽出されたコンテンツ番号を有するコンテンツを選択する。図示されてはいないが、転換されたＡＶ機器３で選択されたコンテンツ番号に該当するコンテンツを再生／記録する。
【００４６】
図１０Ａないし図１０Ｃは、本発明に係る数字コードを利用して選択したコンテンツを再生／記録する装置及びホームネットワークシステムの構成図である。
【００４７】
図１０Ａは、図８Ａに示す再生／記録装置３の構成図である。ＡＶ機器３Ａは、ユーザインターフェース１から数字コードを入力されて、前記コード規則によって解釈してＡＶ機器番号及びコンテンツ番号を抽出する数字コード処理部３０と、選択されたコンテンツ番号に該当するコンテンツを再生／記録する再生／記録部４０とを備える。このとき、機器番号は、外部入力番号として解釈される。これにより、リモコンのようなユーザインターフェース１を通じてユーザが所定の数字コードを入力すれば、ＡＶ機器３Ａは、これを解釈して、入力された数字コードに含まれたＡＶ機器番号として外部入力番号を設定し、コンテンツ番号に該当するチャンネル、動画、チャプターまたはトラックを再生／記録する。
【００４８】
一方、図１０Ｂは、図８Ｂに示す集中型ホームネットワークシステムの構成図である。ホームネットワークサーバ２は、ユーザインターフェース１から数字コードを入力されて、前記コード規則によって解釈してＡＶ機器番号及びコンテンツ番号を抽出する数字コード処理部３０と、抽出されたＡＶ機器番号及びコンテンツ番号を利用した再生／記録命令を当該ＡＶ機器３に伝送するネットワークインターフェース５０とを備える。ＡＶ機器番号に該当するＡＶ機器３Ｂは、ネットワークインターフェース６０を通じて抽出されたＡＶ機器番号及びコンテンツ番号を利用した再生／記録命令を受信し、これを再生／記録部４０を通じて再生／記録する。本実施形態の場合、集中型ホームネットワークシステムとして、ホームネットワークサーバ２が数字コードを解釈して再生／記録命令を下し、当該ＡＶ機器は、サーバの命令によって選択されたコンテンツを再生／記録する。
【００４９】
一方、図１０Ｃは、図８Ｃに示す分散型ホームネットワークシステムの構成図である。分散型であるので、ホームネットワークサーバ２なしに、各ＡＶ機器３が再生／記録を制御する。ＡＶ機器３Ｃは、ユーザインターフェース１から数字コードを入力されて、前記コード規則によって解釈してＡＶ機器番号及びコンテンツ番号を抽出する数字コード処理部３０と、抽出されたＡＶ機器番号及びコンテンツ番号を利用した再生／記録命令を当該ＡＶ機器３に伝送または受信するネットワークインターフェース６０と、選択されたコンテンツを再生／記録する再生／記録部４０とを備える。これにより、ユーザインターフェース１を通じてユーザが所定の数字コードを入力すれば、これを受信したＡＶ機器３Ｃは、これを解釈して、入力された数字コードに含まれたＡＶ機器番号及びコンテンツ番号を抽出し、抽出されたＡＶ機器番号が自身の機器番号と一致すれば、選択されたコンテンツを再生／記録する。もし、抽出されたＡＶ機器番号が自身の機器番号と一致していない場合、抽出されたＡＶ機器番号に該当するＡＶ機器３Ｃに選択されたコンテンツを再生／記録する制御命令を伝送する。制御命令を受けたＡＶ機器３Ｃは、選択されたコンテンツを再生／記録する。
【００５０】
一方、本発明に係る再生／記録するマルチメディア機器及びコンテンツを選択し、それを再生／記録する方法は、コンピュータプログラムで作成可能である。前記プログラムを構成するコード及びコードセグメントは、当業界のコンピュータプログラマーによって容易に推論され得る。また、前記プログラムは、コンピュータで読み取り可能な情報記録媒体に保存され、コンピュータによって読み取られて実行されることによって再生／記録するマルチメディア機器及びコンテンツを選択し、それを再生／記録する方法を具現する。前記情報記録媒体は、磁気記録媒体、光記録媒体及びキャリアウェーブ媒体を含む。
【００５１】
以上、本発明についてその望ましい実施形態を中心に説明した。当業者は、本発明が本発明の本質的な特性から逸脱しない範囲で変形された形態で具現できるということを理解できるであろう。したがって、開示された実施形態は、限定的な観点ではなく、説明的な観点で考慮されねばならない。本発明の範囲は、前述した説明ではなく、特許請求の範囲に示されており、それと同等な範囲内にある全ての差異点は、本発明に含まれていると解釈されねばならない。
【産業上の利用可能性】
【００５２】
本発明は、マルチメディア機器に関連した技術分野に好適に適用され得る。
【図面の簡単な説明】
【００５３】
【図１】従来のコンテンツを選択して再生／記録する過程を示す図である。
【図２Ａ】従来のコンテンツの選択過程の一例を示す図である。
【図２Ｂ】従来のコンテンツの選択過程の一例を示す図である。
【図３】本発明に係る機器転換及びコンテンツの選択のための数字コード構成の一実施形態を示す図である。
【図４Ａ】図３に示す数字コードを利用した機器転換及びコンテンツの選択の一例を示す図である。
【図４Ｂ】図３に示す数字コードを利用した機器転換及びコンテンツの選択の一例を示す図である。
【図５】本発明に係る機器転換及びコンテンツの選択のための数字コード構成の他の実施形態を示す図である。
【図６Ａ】図５に示す数字コードを利用した機器転換及びコンテンツの選択の一例を示す図である。
【図６Ｂ】図５に示す数字コードを利用した機器転換及びコンテンツの選択の一例を示す図である。
【図７】本発明に係る数字コードを利用して選択したコンテンツを再生／記録する方法を示すフローチャートである。
【図８Ａ】本発明に係る数字コードを利用して選択したコンテンツを再生／記録する装置の多様な応用例を示す図である。
【図８Ｂ】本発明に係る数字コードを利用して選択したコンテンツを再生／記録する装置の多様な応用例を示す図である。
【図８Ｃ】本発明に係る数字コードを利用して選択したコンテンツを再生／記録する装置の多様な応用例を示す図である。
【図９】本発明に係る再生／記録装置またはホームネットワークサーバに含まれる数字コード処理部の構成図である。
【図１０Ａ】本発明に係る数字コードを利用して選択したコンテンツを再生／記録する装置及びホームネットワークシステムの構成図である。
【図１０Ｂ】本発明に係る数字コードを利用して選択したコンテンツを再生／記録する装置及びホームネットワークシステムの構成図である。
【図１０Ｃ】本発明に係る数字コードを利用して選択したコンテンツを再生／記録する装置及びホームネットワークシステムの構成図である。
【符号の説明】
【００５４】
１    ユーザインターフェース
２    ホームネットワークサーバ
３    再生／記録装置
３Ａ、３Ｂ、３Ｃ  ＡＶ機器
３０  数字コード処理部
３２  受信部
３４  解釈部
３６  処理部
４０  再生／記録部
５０  ネットワークインターフェース
６０  ネットワークインターフェース
【図１】
2006211684.tif 000003
【図２Ａ】
2006211684.tif 000004
【図２Ｂ】
2006211684.tif 000005
【図３】
2006211684.tif 000006
【図４Ａ】
2006211684.tif 000007
【図４Ｂ】
2006211684.tif 000008
【図５】
2006211684.tif 000009
【図６Ａ】
2006211684.tif 000010
【図６Ｂ】
2006211684.tif 000011
【図７】
2006211684.tif 000012
【図８Ａ】
2006211684.tif 000013
【図８Ｂ】
2006211684.tif 000014
【図８Ｃ】
2006211684.tif 000015
【図９】
2006211684.tif 000016
【図１０Ａ】
2006211684.tif 000017
【図１０Ｂ】
2006211684.tif 000018
【図１０Ｃ】
2006211684.tif 000019